(57)【要約】【課題】本発明は、直線的なグレアが生じるのを防いで眩しさを低減させることのできる採光装置の提供を目的とする。【解決手段】本発明の採光装置は、光透過性を有する基材と、基材の第１面に設けられた採光フィルムと、を備え、採光フィルムは、第１面に沿った方向に並べて配置された複数の分割フィルムからなり、複数の分割フィルムは、四角形の外形を有する第１分割フィルムを含み、四角形の角部のうち、少なくとも２つの角部は直角以外の角度を有し、第１分割フィルムは、四角形の辺のうち、少なくとも１本の辺と平行な方向に延在する複数のプリズム構造体からなる採光部を有する。【選択図】図２
2019204722.tif 000002
【特許請求の範囲】
【請求項１】
光透過性を有する基材と、
前記基材の第１面に設けられた採光フィルムと、を備え、
前記採光フィルムは、前記第１面に沿った方向に並べて配置された複数の分割フィルムからなり、
前記複数の分割フィルムは、四角形の外形を有する第１分割フィルムを含み、
前記四角形の角部のうち、少なくとも２つの角部は直角以外の角度を有し、
前記第１分割フィルムは、前記四角形の辺のうち、少なくとも１本の辺と平行な方向に延在する複数のプリズム構造体からなる採光部を有する、採光装置。
【請求項２】
前記基材は、長方形の外形を有し、
前記複数の分割フィルムは、平行四辺形の外形を有する前記第１分割フィルムと、平行四辺形以外の多角形の外形を有する第２分割フィルムと、を含み、
前記第２分割フィルムは、前記多角形の辺のうち、少なくとも１本の辺と平行な方向に延在する複数のプリズム構造体からなる採光部を有する、請求項１に記載の採光装置。
【請求項３】
前記分割フィルムは、前記採光部が設けられた面とは反対側の面に設けられた光拡散部を有する、請求項１または請求項２に記載の採光装置。
【請求項４】
前記複数の分割フィルムのうち、少なくとも一部の分割フィルムは、隣り合う分割フィルムとの間に隙間をおいて配置され、
前記隙間は、前記採光部を介さずに外光を透過させる光透過領域とされた、請求項１に記載の採光装置。
【請求項５】
前記採光部と対向して配置された保護板をさらに備えた、請求項１に記載の採光装置。
【請求項６】
前記保護板は、光拡散性を有する、請求項５に記載の採光装置。
【請求項７】
前記複数の分割フィルムは、前記プリズム構造体の延在方向が互いに異なる複数の分割フィルムを含む、請求項１に記載の採光装置。
【発明の詳細な説明】
【技術分野】
【０００１】
本発明は、採光装置に関する。
【背景技術】
【０００２】
建築物の窓等を通して太陽光を室内に採り込むための採光装置が、従来から知られている。例えば下記の特許文献１では、採光フィルムを構成する複数の採光部のうち、少なくとも一部の採光部が水平方向に対して斜めに延在した構成となっている。これにより、特定方向に強いグレアが出射されるのを抑制することができる。
【先行技術文献】
【特許文献】
【０００３】
【特許文献１】国際公開第２０１７／０６１５５４号
【発明の概要】
【発明が解決しようとする課題】
【０００４】
特許文献１に記載の採光装置は、複数の分割フィルムからなる採光フィルムを備えている。各分割フィルムの外形は長方形である。この種の採光フィルムを生産性良く製造する手段として、採光フィルムの原材料となる樹脂フィルムの原反ロールを用いて、樹脂フィルムを引き出しつつ複数の採光部を一括して形成した後、所定の大きさを有する長方形のシートとして切り出す方法、いわゆるロール・トゥ・ロール法が採用される。この場合、特許文献１のように、採光部の延在方向が長方形の一辺に対して斜めに傾いた採光フィルムを製造する際には、長尺の樹脂フィルムを斜めに切り出すことになる。その結果、樹脂フィルムのロスが生じる、切り出す採光フィルムのサイズの制約が大きい、という問題があった。
【０００５】
本発明の一つの態様は、上記の課題を解決するためになされたものであって、製造時に生じる採光フィルムのロスを低減し、採光フィルムのサイズの制約を軽減できる採光装置の提供を目的の一つとする。
【課題を解決するための手段】
【０００６】
本発明の一つの態様の採光装置は、光透過性を有する基材と、前記基材の第１面に設けられた採光フィルムと、を備え、前記採光フィルムは、前記第１面に沿った方向に並べて配置された複数の分割フィルムからなり、前記複数の分割フィルムは、四角形の外形を有する第１分割フィルムを含み、前記四角形の角部のうち、少なくとも２つの角部は直角以外の角度を有し、前記第１分割フィルムは、前記四角形の辺のうち、少なくとも１本の辺と平行な方向に延在する複数のプリズム構造体からなる採光部を有する構成とされている。
【０００７】
本発明の一つの態様の採光装置において、前記基材は、長方形の外形を有し、前記複数の分割フィルムは、平行四辺形の外形を有する前記第１分割フィルムと、平行四辺形以外の多角形の外形を有する第２分割フィルムと、を含み、前記第２分割フィルムは、前記多角形の辺のうち、少なくとも１本の辺と平行な方向に延在する複数のプリズム構造体からなる採光部を有する構成としてもよい。
【０００８】
本発明の一つの態様の採光装置において、前記分割フィルムは、前記採光部が設けられた面とは反対側の面に設けられた光拡散部を有する構成としてもよい。
【０００９】
本発明の一つの態様の採光装置において、前記複数の分割フィルムのうち、少なくとも一部の分割フィルムは、隣り合う分割フィルムとの間に隙間をおいて配置され、前記隙間は、前記採光部を介さずに外光を透過させる光透過領域とされた構成としてもよい。
【００１０】
本発明の一つの態様の採光装置において、前記採光部と対向して配置された保護板をさらに備えた構成としてもよい。
【００１１】
本発明の一つの態様の採光装置において、前記保護板は、光拡散性を有する構成としてもよい。
【００１２】
本発明の一つの態様の採光装置において、前記複数の分割フィルムは、前記プリズム構造体の延在方向が互いに異なる複数の分割フィルムを含む構成としてもよい。
【発明の効果】
【００１３】
本発明の一つの態様によれば、製造時に生じる採光フィルムのロスを低減し、採光フィルムのサイズの制約を軽減することができる。
【図面の簡単な説明】
【００１４】
【図１】窓に設置された状態の採光装置の外観を示す正面図であって、室内側（図３に示す矢印Ａ側）から見た図。
【図２】採光プレートの構成を示す図。
【図３】図１のIII−III線に沿う断面図。
【図４】第１実施形態の分割フィルムの製造工程の実施例を説明するための図。
【図５】比較例として従来の分割フィルムの製造工程を説明するための図。
【図６】比較例である長方形の分割フィルムの製造工程における切り出し例１，２を示す図。
【図７】比較例でロスになるフィルム部分を示す図。
【図８】第１実施形態の製造工程における切り出し例を示す図。
【図９】図８に示すロールフィルムから切り出された切り出しフィルムの寸法を示す図。
【図１０】平行四辺形の切り出しフィルムを用いて長方形のフィルムを作製する例を説明するための図。
【図１１Ａ】比較例１において所定幅のロールフィルムから長方形に切り出せる最大面積の分割フィルムを示す図。
【図１１Ｂ】比較例２において所定幅のロールフィルムから長方形に切り出せる分割フィルムのうち、ロスになるフィルムの面積を小さくした場合の分割フィルムを示す図。
【図１１Ｃ】実施例において所定幅のロールフィルムから平行四辺形に切り出した切り出しフィルムを示す図。
【図１２Ａ】図１１Ａに示した切り出し面積最大の分割フィルムを複数用いて採光フィルムを作製することを示す図。
【図１２Ｂ】図１１Ｂに示した分割フィルムを複数用いて採光フィルムを作製することを示す図。
【図１２Ｃ】図１１Ｃに示した切り出しフィルムを複数用いて採光フィルムを作製することを示す図。
【図１３】採光フィルムの微細構造面側を室内へ向けて設置した状態を示す図。
【図１４】各採光部の断面形状が五角形をなす採光フィルムを示す図。
【図１５】各採光部の断面形状が台形をなす採光フィルムを示す図。
【図１６】変形例として光拡散部材を備えた採光プレートの変形例を示す図。
【図１７】第２実施形態の採光プレートの構成を示す図。
【図１８】第２実施形態における分割フィルムの第１の配列例を示す図。
【図１９】第２実施形態における分割フィルムの第２の配列例を示す図。
【図２０】第２実施形態における分割フィルムの第３の配列例を示す図。
【図２１】第３実施形態の採光プレートの構成を説明するための図。
【図２２】第３実施形態の採光プレートの構成を示す断面図。
【図２３】第４実施形態の採光プレートの構成を示す図。
【図２４】外形が異なる３種類の分割フィルムの切り出し方を示す図。
【図２５】第５実施形態の採光プレートの構成を示す図。
【図２６】従来の分割フィルムどうしの繋ぎ目部分の構成を示す図。
【図２７】実施形態１の分割フィルムどうしの繋ぎ目部分の構成を示す図。
【発明を実施するための形態】
【００１５】
以下、本発明の一実施形態について説明する。
なお、以下の各図面においては各構成要素を見やすくするため、構成要素によって寸法の縮尺を異ならせて示すことがある。
【００１６】
［第１実施形態］
図１は、窓に設置された状態の採光装置１の外観を示す正面図であって、室内側（図３に示す矢印Ａ側）から見た図である。図２は、採光プレート１０の構成を示す図である。図３は、図１のIII−III線に沿う断面図である。
【００１７】
図１に示すように、採光装置１は、採光プレート１０と、フレーム２と、一対の設置部４と、を備えている。
【００１８】
（採光プレート）
採光プレート１０は、図２に示すように、光透過性を有する基材１１と、基材１１の第１面１１ａ側に設けられた採光フィルム１２と、を備えている。
基材１１は、長方形の形状を有し、例えばガラス板を用いて形成されている。基材１１の材質としては、光透過性を有する樹脂であってもよく、ポリカーボネート（ＰＣ），ポリエチレンテレフタレート（ＰＥＴ），ポリメチルメタクリレート（ＰＭＭＡ）等が挙げられる。
【００１９】
採光フィルム１２は、基材１１の第１面１１ａに沿った方向に隙間なく並べて配置された複数の分割フィルム１３からなる。複数の分割フィルム１３は、多角形を有し、当該多角形の角部のうち、少なくとも２つの角部は直角以外の角度を有する。つまり、多角形は、正方形や長方形ではなく、平行四辺形、台形、三角形等である。
【００２０】
複数の分割フィルム１３は、平行四辺形の外形を有する第１分割フィルム１３Ａと、平行四辺形以外の多角形の外形を有する第２分割フィルム１３Ｂと、を含む。第１分割フィルム１３Ａおよび第２分割フィルム１３Ｂは、基材１１の形状に合わせて長方形となるように形を組み合わせて配置されている。そのため、特に第２分割フィルム１３Ｂに関しては各々が違う多角形をなし、必ずしも同じ形状であるとは限らない。本実施形態において第２分割フィルム１３Ｂの外形は、三角形もしくは五角形である。
【００２１】
第１分割フィルム１３Ａは、平行四辺形の辺のうち、互いに平行な２本の辺と平行な方向に延在する複数のプリズム構造体からなる採光部３Ａを有している。
第２分割フィルム１３Ｂは、多角形の辺のうち、少なくとも１本の辺と平行な方向に延在する複数の採光部３Ｂを有している。採光部３Ａおよび採光部３Ｂの延在方向は互いに等しく、全ての採光部３Ａ，３Ｂが平行に配置されている。
なお、以下の説明において採光部３Ａ，３Ｂを区別する必要がないときは、単に採光部３と呼ぶ。
【００２２】
採光フィルム１２を構成する複数の分割フィルム１３のうち、上下に配置された分割フィルム１３どうしの繋ぎ目５は図２の基準線Ｆに平行に延在し、左右に配置された分割フィルム１３どうしの繋ぎ目６は基準線Ｆに対して所定の角度で斜めに延在する。基準線Ｆは、長方形状の採光フィルム１２の一辺に相当する。
【００２３】
（フレーム）
フレーム２は、図１および図３に示すように、例えばアルミニウム製の枠体で構成され、採光プレート１０の周囲を保持する。採光プレート１０は、フレーム２の内側に形成された溝部２ｃに周縁部１０ｃが挿入されることにより収容される。フレーム２は、採光プレート１０の平面視における面積よりも小さい開口部２ａを有する。これにより、採光プレート１０は、周縁部１０ｃの全体がフレーム２の溝部２ｃに挿入された状態となり、フレーム２から抜け落ちることなく確実に保持される。
【００２４】
このような採光プレート１０は、図１および図３に示すように、一対の設置部４によって窓の上部から吊り下げられた状態で設置される。これらの図において、符号８は窓ガラスを示し、符号１０８は窓サッシを示し、符号１０９は窓枠を示している。
【００２５】
図３に示すように、各設置部４は、例えば、フレーム２に収容された採光プレート１０を窓枠１０９に取り付けるための取付部材１５と、複数の取付ネジ１６と、備えている。取付部材１５は、例えばステンレス製であり、フレーム取付部１５Ａと窓枠取付部１５Ｂとが互いに垂直な姿勢で連結され、断面視においてＬ字型の形状を呈している。取付部材１５は、フレーム取付部１５Ａおよび窓枠取付部１５Ｂの各々の形成されたネジ孔１５ｂに取付ネジ１６を螺合させることにより、フレーム２あるいは窓枠１０９にそれぞれ固定される。なお、設置部４の構成や数は、上述したものに限らない。
【００２６】
このようにして、フレーム２内に収容された採光プレート１０が、設置部４を介して窓枠１０９に設置される。この状態において、採光プレート１０は、採光フィルム１２のプリズム構造体からなる微細構造面３ａが窓ガラス８と対向し、かつ当該窓ガラス８に平行な姿勢となる。
【００２７】
（採光フィルム１２の製造工程）
図４は、第１実施形態の分割フィルム１３の製造工程の実施例を説明するための図である。図５は、比較例として従来の分割フィルムの製造工程を説明するための図である。
図４に示すように、分割フィルムを得るためには、まず、ロール・トゥ・ロール法を用いて製造されたロールフィルム１７を用意し、例えば金型等を用いて複数の採光部３を一括して形成した後、そこから所定の大きさに切り出して作製する。図４は、複数の採光部３を既に形成した後の状態を示しており、ロールフィルム１７の一面側には、プリズム構造体からなる複数の採光部３がロールフィルム１７の搬送方向ＭＤに沿って延在している。
【００２８】
本実施形態の分割フィルム１３（図２）は、ロールフィルム１７を原反ローラー１８から巻き出して切り出し領域Ａごとに切り出した後、所定の加工を施すことによって製造される。実施例では、図４に示すように、ロールフィルム１７の幅方向の全体に亘って切り込みを入れ、平行四辺形に切り出すことで切り出しフィルム１３ａを得ている。なお、ロールフィルム１７の幅方向は、搬送方向ＭＤと直交する方向である。
【００２９】
一方、比較例では、図５に示すように、ロールフィルム１７の一部を最終的に長方形に切り出すことで分割フィルム１０３を得ている。
【００３０】
図６は、比較例である長方形の分割フィルム１０３の製造工程における切り出し例１，２を示す図である。図７は、比較例でロスになるフィルム部分を示す図である。
長方形の分割フィルム１０３を得るためには、まず、実施例と同様に、図６に示すロールフィルム１７の幅方向の全体に亘って平行四辺形に切り出す（第１切断工程）。その後、図７に示すように、平行四辺形の切り出しフィルム２４の鋭角な２つの角部を切り落とすことによって長方形に形成する（第２切断工程）。比較例では、切り落としたロスフィルム２５は、再利用されない。
【００３１】
図６に示すように、長方形をなす分割フィルム１０３の隣り合う２つの辺のうち、一方の辺の長さをａ、他辺の長さをｂとすると、幅ｈを有するロールフィルム１７から作製できる長方形の分割フィルム１０３の面積Ｓａｂは、下記の（１）式、および（２）式で表される。ここで、辺ｂは平行四辺形の一辺に沿う辺であり、辺ａは平行四辺形の一辺に直交する辺である。また、切り出し角度θは、第１切断工程において平行四辺形にフィルムを切り出す際の搬送方向ＭＤと平行四辺形の一辺とがなす角度θ（θ＜９０°）である。
ｂ＝（ｈ−ａ・ｃｏｓθ）／ｓｉｎθ  …（１）
Ｓａｂ＝ａ（ｈ−ａ・ｃｏｓθ）／ｓｉｎθ  …（２）
【００３２】
第２切断工程において、平行四辺形の切り出しフィルム２４を長方形にする際、ロスになるフィルムの面積Ｓｌｏｓｓが下記の式（３）により表される。また、ロスになるフィルム面積の割合Ｐｌｏｓｓは、下記の式（４）により表される。
Ｓｌｏｓｓ＝ａ２／ｔａｎθ  …（３）
Ｐｌｏｓｓ＝ａ・ｃｏｓθ／ｈ  …（４）
【００３３】
ロールフィルム１７から作製できる分割フィルム１０３の面積が最大になるのは、下記の（５）式を満たす場合である。
Ｓａｂ  ｍａｘ＝ｈ２／４ｃｏｓθ・ｓｉｎθ  …（５）
【００３４】
この場合、ロスになるフィルムの面積Ｓａｂ  ｍａｘ  ｌｏｓｓは、第１切断工程で平行四辺形に切り出した面積Ｓの半分を占める。
Ｓａｂ  ｍａｘ  ｌｏｓｓ＝Ｓ／２
【００３５】
図６の右側に示す切り出し例２のように、得ようとする分割フィルム１０３の一つの辺ａの寸法が大きいほど、図７に示すようにロスフィルム２５の面積の割合が増加する。つまり、図７に示したロールフィルム１７の搬送方向ＭＤに沿う切り出し寸法が大きくなるほどロスフィルム２５の面積の割合Ｐｌｏｓｓが大きくなってしまう。そのため、図６の左側に示す切り出し領域Ａ（１）のように、辺ａの寸法を小さくした方がロスフィルム２５の面積Ｓｌｏｓｓは小さい。
【００３６】
図６の左側に示す切り出し例１のように、分割フィルム１０３の一つの辺ａが小さい方が、作製時におけるロスフィルム２５の量を抑えることができるが、その分、採光フィルム１２の作製に要する分割フィルム１０３の枚数が増加してしまい、貼り付けコストが高くなってしまう。
【００３７】
そのため、図６の右側に示す切り出し例２のように、分割フィルム１０３の長方形面積が最大になるようにロールフィルム１７をカットすると、第１切断工程で切り出した平行四辺形の切り出しフィルム２４の約半分がロスとなり、使用するロールフィルム１７の量が増加して材料コストが高くなってしまう。
【００３８】
図８は、第１実施形態の製造工程における切り出し例を示す図である。図９は、得られた切り出しフィルム１３ａの寸法を示す図である。
実施例では、まず図８に示すように、ロールフィルム１７の幅方向の全体に亘って斜めに切り込みを入れることで平行四辺形のフィルムを切り出す。このとき、切り出し角度θ（θ＜９０°）を所定の角度としたとき、切り出しフィルム１３ａの辺ａの長さをどのくらいにするかによって、図９に示す切り出しフィルム１３ａの幅ｈ’を調整できる。
【００３９】
なお、図８に示すように、ロールフィルム１７からの切り出し角度をロールフィルム１７の搬送方向ＭＤで反転させてもよい。このときの切り出し角度を負の値（−θ）で示す。
【００４０】
図１０は、本実施例において平行四辺形の切り出しフィルム１３ａを用いて長方形のフィルムを作製する例を説明するための図である。
平行四辺形の切り出しフィルム１３ａを用いて長方形の採光フィルム１２を作製する際、本実施例では、１枚の切り出しフィルム１３ａを２分割して分割フィルム１３，１３を作製し、これらを互いに組み合わせることで長方形にしている。
【００４１】
次に、実際に所定の大きさの採光フィルム１２を作製する場合に必要となる分割フィルム１３の枚数、切り出し時にロスになるフィルムの割合等について、実施例と比較例１，２とで比較する。
作製する採光フィルム１２の大きさを１８００ｍｍ×９００ｍｍ（図１２Ａ〜図１２Ｃに示すＶ×Ｈ）の大きさとし、ロールフィルム１７の幅を６５０ｍｍ、ロールフィルム１７からの切り出し角度θを６０°とする。
【００４２】
（比較例１）
図１１Ａは、比較例１において所定幅のロールフィルムから長方形に切り出せる最大面積の分割フィルム１０３Ａを示す図である。図１２Ａは、図１１Ａに示した切り出し面積最大の分割フィルム１０３Ａを複数用いて採光フィルム１２を作製することを示す図である。
【００４３】
図１１Ａに示すように、上記ロールフィルムから長方形に切り出せる最大面積の分割フィルム１０３Ａを用いて、上記大きさの採光フィルム１２を作製する場合、必要になる分割フィルム１０３Ａの枚数は、図１２Ａに示すように、縦３枚、横３枚、合計９枚である。ロールフィルムから９枚の分割フィルム１０３Ａを作製する際に切り出した平行四辺形の切り出しフィルムの総面積は４．４ｍ２であり、ロスになるフィルムの総面積は２．２ｍ２である。
【００４４】
（比較例２）
図１１Ｂは、比較例２において所定幅のロールフィルムから長方形に切り出す際、ロスになるフィルムの面積を小さくした場合の分割フィルム１０３Ｂを示す図である。図１２Ｂは、図１１Ｂに示した分割フィルム１０３Ｂを複数用いて採光フィルム１２を作製することを示す図である。
【００４５】
図１１Ｂに示すように、上記ロールフィルムからフィルムのロス面積が小さくなるように切り出した分割フィルム１０３Ｂを用いて、上記の大きさの採光フィルム１２を作製する場合、必要な分割フィルム１０３Ｂの枚数は、図１２Ｂに示すように、縦１８枚、横２枚、計３６枚である。ロールフィルムから３６枚の分割フィルム１０３Ｂを作製する際に切り出した平行四辺形の切り出しフィルム２４（図７参照）の総面積は２．７ｍ２であり、ロスになるフィルムの総面積は０．２ｍ２である。
【００４６】
採光フィルム１２の作製に必要な分割フィルムの枚数は、比較例１の分割フィルム１０３Ａを用いた場合の方が、比較例２の分割フィルム１０３Ｂを用いた場合に比べて、１／４の枚数で済む。その一方、ロスになるフィルムの量は、比較例１の方が比較例２に比べて１０倍に増加する。
逆に言えば、比較例２の分割フィルム１０３Ｂを用いれば、ロスになるフィルムの量を、比較例１を用いた場合に比べて１／１０に抑えることができる。その一方、比較例２では、必要になるフィルムの枚数が比較例１に比べて４倍に増加してしまう。
【００４７】
また、比較例１，２のように、ロール・トゥ・ロールにより作製したロールフィルムから長方形の分割フィルム１０３Ａ，１０３Ｂをそれぞれ作製する場合は、平行四辺形に切り出したフィルムをさらに長方形にするために余分な角部を切り落とさなければならない。そのため、フィルムのロスや、ロールフィルムからの切り出しサイズに制約が生じてしまう。
【００４８】
（実施例）
図１１Ｃは、実施例において所定の幅ｈのロールフィルムから平行四辺形に切り出した切り出しフィルム１３ａを示す図である。図１２Ｃは、図１１Ｃに示した切り出しフィルム１３ａを複数用いて採光フィルム１２を作製することを示す図である。
図１１Ｃに示すように、実施例１の平行四辺形の切り出しフィルム１３ａを用いて、上記の大きさの採光フィルム１２を作製する場合、図１２Ｃに示すように、２枚の切り出しフィルム１３ａを隙間なく並べて所定の位置で分割した後、長方形となるようにそれぞれを組み合わせる。実施例では、比較例１，２と同じ寸法の採光フィルム１２を得るために必要な切り出しフィルム１３ａの枚数は２枚だけである。また、余り部分１９も長方形であるため、再利用でき、ロスになるフィルムもない。
【００４９】
なお、図２に示した採光フィルム１２は、本実施例の作製方法を用いて作製することができる。
【００５０】
本実施例では、比較例１，２のように一枚の平行四辺形の切り出しフィルムから長方形の分割フィルムを切り出すのではなく、平行四辺形の切り出しフィルム１３ａを分割して互いに組み合わせることで長方形としているため、切り出したフィルム１３ａを無駄にすることなく使用することができ、材料コストを抑えることができる。さらに、比較例１，２の方法よりも、ロールフィルム１７から切り出す際の切り出しフィルム１３ａのサイズの制約を減らすことができる。そのため、比較例１，２では得られないサイズの切り出しフィルム１３ａを切り出すことが可能となり、採光フィルム１２の作製に必要な分割フィルム１３の枚数も少なくて済む。これにより、分割フィルム１３の貼り付けコストおよび材料コストを抑えることができる。
【００５１】
また、図２６に示す従来の構成では、分割フィルム９３Ａ，９３Ｂの繋ぎ目６側の側辺９３ａ，９３が、基準線Ｆに対して垂直となっており、各採光部３を幅方向に切断した状態となっている。このため、繋ぎ目側の側辺９３ａ，９３ｂにも各採光部３の界面が露出してしまい、これら界面において生じた散乱光が目立ってしまうことがある。
【００５２】
上記課題に対し、本実施形態では、図２および図２７に示すように、図中において左右で隣り合う分割フィルム１３Ａ，１３Ｂどうしの繋ぎ目６を基準線Ｆに対して所定の角度で傾斜させた構成とした。つまり、分割フィルム１３Ａ，１３Ｂどうしの繋ぎ目６を、傾斜した各採光部３の延在方向と平行にすることで、採光に寄与しない余分な界面の露出によって散乱光が生じるのを避け、繋ぎ目６を目立たなくすることができる。
【００５３】
また、上段の分割フィルム１３どうしの繋ぎ目と、下段の分割フィルム１３どうしの繋ぎ目とが上下に揃っていないため、直線的なグレアが生じるのを防ぐことができるとともに、たとえグレアが生じたとしても鉛直方向に直線的ではないため目立ちにくい。さらに、採光フィルム１２の複数の採光部３は、傾斜した繋ぎ目に平行して延在しており、これによって出射光が分散されて室内へ出射されるためグレアが緩和される。
【００５４】
（変形例）
図１３は、採光フィルム１２の微細構造側を室内へ向けて設置した状態を示す図である。
本実施形態の採光プレート１０は、図３に示したように、採光フィルム１２の微細構造面３ａを窓ガラス８と対向させるようにして設置したが、例えば図１３に示す採光プレート１４のように、微細構造面３ａを窓ガラス８とは反対の室内側へ向けて設置してもよい。
【００５５】
図１４は、各採光部３の断面形状が五角形をなす採光フィルム１２を示す図である。図１５は、各採光部３の断面形状が台形をなす採光フィルム１２を示す図である。
採光部３の断面形状は、図３に示した三角形状に限られず、例えば図１４に示すような五角形、図１５に示すような台形、もしくは三角形であってもよく、特に限定されない。
【００５６】
図１６は、変形例として光拡散部材９を備えた採光プレート７の構成を示す図である。
図１６に示す採光プレート７は、ガラス板からなる基材１１と、基材１１の周縁に配置されたスペーサを介して配置される採光フィルム１２と、採光フィルム１２の微細構造面３ａとは反対側の面に設けられた光拡散部２６と、を備えている。光拡散部２６は、レンチキュラーレンズやマイクロレンズアレイ等からなり、スペーサ２７によって囲まれた基材１１と採光フィルム１２との間に形成される隙間に存在する。
【００５７】
このように、採光フィルム１２の光出射側に光拡散部２６が設けられていてもよい。これにより、採光フィルム１２から出射された光を上下もしくは上下左右に拡散させることができ、グレアを抑制することができる。
【００５８】
なお、光拡散部２６は、採光フィルム１２に設けられた構成に限られず、基材１１に設けられていてもよい。この場合、光拡散部２６は、基材１１の表裏どちらの面に設けられていてもよい。
【００５９】
［第２実施形態］
次に、採光プレート２０の第２実施形態の構成について説明する。
以下に示す本実施形態の採光プレート２０の基本構成は、上記第１実施形態と略同様であり、分割フィルム１３の配列が第１実施形態と異なる。
【００６０】
図１７は、第２実施形態の採光プレート２０の構成を示す図である。
本実施形態の採光プレート２０は、図１７に示すように、複数の光透過領域２１を有する採光フィルム２２を備えている。採光フィルム２２を構成する複数の分割フィルム１３のうち、少なくとも一部の分割フィルム１３が隣り合う分割フィルム１３との間に隙間をあけて配置されており、この隙間が上記の光透過領域２１となる。光透過領域２１は、採光部３を介さずに外光を透過させる領域である。
【００６１】
光透過領域２１の大きさは、複数の分割フィルム１３の繋ぎ目の幅Ｗに相当する。光透過領域２１の大きさによって、直射光の透過量を調整することができる。光の透過量を少なくする場合は繋ぎ目の幅Ｗを０．５〜１ｍｍ程度とし、光の透過量を多くする場合は特に制約はない。
【００６２】
本実施形態のように、複数の光透過領域２１を有する採光フィルム２２を備えることによって、採光部３を介した採光と、光透過領域２１をそのまま透過した直射光のそれぞれを室内に採り入れることができる。採光フィルム２２からの出射光を分散させることでグレアを抑えることができる。また、分割フィルム１３どうしの隙間から直射光が差し込むことで、室内をより明るくすることができる。
【００６３】
上述したように、光透過領域２１（隙間）の大きさは適宜変更でき、例えば、隙間が大きければ採光プレート２０を介して窓の外を見ることができるため、眺望性が向上し、例えば室外の景色を見やすい、天気の変化を確認しやすい等の利点がある。また、隣り合う分割フィルム１３との間に、分割フィルム１３の熱膨張を考慮した隙間を設けることにより、周囲の温度環境に伴う、分割フィルム１３の形状変化を緩和することができる。これにより、採光装置の使用場所に関わらず、採光フィルム２２の平坦性を維持することができる。
【００６４】
（分割フィルム１３の配置例）
図１８は、第２実施形態における分割フィルム１３の第１の配列例を示す図である。
図１８に示すように、上下で隣り合う分割フィルム１３の間の繋ぎ目５（光透過領域２１）がＹ軸方向で揃うとともに、左右で隣り合う分割フィルム１３の間の繋ぎ目６（光透過領域２１）がＸ軸方向に揃う配置にしてもよい（二軸一致配列）。
【００６５】
図１９は、第２実施形態における分割フィルム１３の第２の配列例を示す図である。
図１９に示すように、左右で隣り合う分割フィルム１３の間の繋ぎ目６（光透過領域２１）がＸ軸方向に揃っており、上下で隣り合う分割フィルム１３の間の繋ぎ目５（光透過領域２１）がＹ軸方向にずれていてもよい（一軸一致配列）。
【００６６】
図２０は、第２実施形態における分割フィルム１３の第３の配列例を示す図である。
図２０に示すように、上下左右で隣り合う分割フィルム１３の間の繋ぎ目５，６（光透過領域２１）がＸ軸およびＹ軸でずれていてもよい（二軸不一致）。
【００６７】
以上の配列例で示すように、光透過領域２１の形状や大きさは、自由に設定することが可能である。
【００６８】
［第３実施形態］
次に、採光プレート３０の第３実施形態の構成について説明する。
以下に示す本実施形態の採光プレート３０の基本構成は、上記第１実施形態と略同様であり、保護板３１を備えた点において第１実施形態と異なる。
【００６９】
図２１は、第３実施形態の採光プレート３０の構成を説明するための図である。
図２２は、第３実施形態の採光プレート３０の構成を示す断面図である。
図２１および図２２に示すように、本実施形態の採光プレート３０は、基材１１の第１面１１ａ側にスペーサ３３を介して設けられた保護板３１を備えている。保護板３１は、基材１１の第１面１１ａに貼り合わされた採光フィルム３２の複数の採光部３と対向して配置され、微細構造面３ａの全体を覆っている。本実施形態では、保護板３１と採光フィルム３２との間に隙間を設けた構成となっているが、保護板３１を採光フィルム３２に接触させた状態で配置してもよい。保護板３１の配置位置は、スペーサ３３の幅によって調整できる。保護板３１は、光拡散性を有していてもよいし、光拡散性を有していなくてもよい。
【００７０】
本実施形態によれば、採光フィルム３２に対向して保護板３１を設けることにより、保護板３１が光拡散性を有している場合、採光フィルム３２から出射された光を拡散させて分割フィルム１３どうしの繋ぎ目を目立たなくすることができる。また、採光フィルム３２の両面が基材１１と保護板３１とで挟み込まれた構成となっているため、採光フィルム３２に傷が付きにくい。さらに、採光フィルム３２は、基材１１、保護板３１およびスペーサ３３によって囲まれた空間に存在するため、採光フィルム３２に埃やゴミが付くのを防ぐことができる。これにより、所望の採光機能を長期的に維持することができる。
【００７１】
［第４実施形態］
次に、採光プレート４０の第４実施形態の構成について説明する。
以下に示す本実施形態の採光プレート４０の基本構成は、上記第１実施形態と略同様であり、３種類の分割フィルムにより構成される点において第１実施形態と異なる。
【００７２】
図２３は、第４実施形態の採光プレート４０の構成を示す図である。
図２４は、外形が異なる３種類の分割フィルム１３Ａ，１３Ｂ，１３Ｃの切り出し方を示す図である。
本実施形態の採光プレート４０は、図２３に示すように、３種類の分割フィルム１３Ａ，１３Ｂ，１３Ｃから構成される採光フィルム４２を備えている。分割フィルム１３Ａ，１３Ｂ，１３Ｃは、互いに外形が異なっており、台形、平行四辺形のいずれかの外形を有している。また、分割フィルム１３Ａ，１３Ｂ，１３Ｃは、採光フィルム４２の上下の辺に平行な基準線Ｆに対する各採光部３の傾斜角度θも互いに異なっている。
【００７３】
分割フィルム１３Ａは、基準線Ｆに対して傾斜角度＋θの傾きを有する採光部３を有している。分割フィルム１３Ｂは、基準線Ｆに平行な方向に延在する採光部３を有している（傾斜角度θ＝０°）。分割フィルム１３Ｃは、基準線Ｆに対して傾斜角度−θの傾きを有する採光部３を有している。分割フィルム１３Ａ，１３Ｂ，１３Ｃは、多角形を構成する複数の角部のうち少なくとも一つの角部の形状が一致する。各分割フィルム１３Ａ，１３Ｂ，１３Ｃにおける採光部３は、多角形の辺のうち、少なくとも１本の辺と平行な方向に延在している。
【００７４】
分割フィルム１３Ａ，１３Ｂ，１３Ｃを作製する場合は、図２４に示すように、ロールフィルム１７から複数の切り出しフィルム１３ａ，１３ｂ，１３ｃを切り出す際に、切り出し角度が相反する（＋θ、−θ）平行四辺形の切り出しフィルム１３ａ，１３ｃを、所定の間隔をあけて２つ切り出すことで、台形の切り出しフィルム１３ｂを得ている。これら３種類の切り出しフィルム１３ａ，１３ｂ，１３ｃのうち少なくとも一部の切り出しフィルムを分割し、得られた複数の分割フィルムを組み合わせることによって全体が長方形の採光フィルム４２を作製する。
【００７５】
本実施形態では、基準線Ｆに対して採光部３の傾斜角度が異なる３種類の分割フィルム１３Ａ，１３Ｂ，１３Ｃからなる採光フィルム４２を備えることにより、出射光を様々な方向へ分散させることができるので、室内全体を明るくすることができる。また、特定方向に強く出射されるグレアも低減させることができる。
【００７６】
［第５実施形態］
次に、採光プレート５０の第５実施形態の構成について説明する。
以下に示す本実施形態の採光プレート５０の基本構成は、上記第１実施形態と略同様であり、プリズム構造体の延在方向が互いに異なる複数の分割フィルム５３により構成される点において第１実施形態と異なる。
【００７７】
図２５は、第５実施形態の採光プレート５０の構成を示す図である。
採光プレート５０は、図２５に示すように、採光部３の延在方向が互いに異なる複数の分割フィルム５３を組み合わせて構成した採光フィルム５２を備えている。採光フィルム５２は、長方形となるように組み合わせた２つの分割フィルム５３ａ，５３ｂを１組の組部５４とし、例えば合計５つの組部５４が基材１１上に隙間なく配置されて構成されている。複数の組部５４のうち一部または全てにおいて、長方形の大きさが異なっていてもいい。また、全ての組部５４が同じ大きさの長方形であってもよい。
【００７８】
各分割フィルム５３の採光部３は、台形をなす分割フィルム５３の各辺のうち斜辺と平行な方向に延在するプリズム構造体から構成されている。そのため、組部５４を構成する２つの分割フィルム５３ａ，５３ｂどうしの採光部３の傾斜角度は互いに等しい。本実施形態では組部５４ごとに基準線Ｆに対する採光部３の傾斜角度が異なっている。
【００７９】
組部５４を構成する分割フィルム５３ａ，５３ｂの組み合わせ部分の繋ぎ目６は、基準線Ｆに対して傾斜している。長方形をなす組部５４どうしの繋ぎ目５は、基準線Ｆに平行あるいは直交している。
【００８０】
本実施形態では、ロールフィルムから切り出した平行四辺形の切り出しフィルムを２分割し、互いの斜辺を対向させて隙間なく組み合わせることで長方形の組部５４を構成し、複数の組部５４を基材１１上に配置することで採光フィルム５２を得ている。切り出しフィルムを２分割する際の角度を変えることによって、各組部５４の採光部３の傾斜角度をそれぞれ異ならせることができる。また、切り出しフィルムを２分割して組み合わせ、それを１つの単位とすることで、２分割する角度が何度であっても２つの分割フィルム５３ａ，５３ｂを隙間なく組み合わせることができる。
【００８１】
本実施形態の構成によれば、採光フィルム５２内に、基準線Ｆに対する傾斜角度が異なる複数の採光部３が存在するため、様々な高度の太陽光を採り入れることができる。そのため、採光効果を一日中得ることができ、室内を適度に明るく保つことができる。
【００８２】
なお、本発明の技術範囲は上記実施形態に限定されるものではなく、本発明の趣旨を逸脱しない範囲において種々の変更を加えることが可能である。
例えば複数の実施形態の各々に特有の構成は、適宜組み合わせることができる。具体的には、
（１）「分割フィルムは、採光部が設けられた面とは反対側の面に設けられた光拡散部を有する構成」、
（２）「複数の分割フィルムのうち、少なくとも一部の分割フィルムは、隣り合う分割フィルムとの間に隙間をおいて配置され、隙間は、採光部を介さずに外光を透過させる光透過領域とされている構成」、
（３）「採光部と対向して配置された保護板をさらに備えた構成」、
（４）「保護板は、光拡散性を有する構成」、
（５）「複数の分割フィルムは、プリズム構造体の延在方向が互いに異なる複数の分割フィルムを含む構成」、
等は、各実施形態の構成に適宜組み合わせることができる。
【００８３】
さらに、上記実施形態では、パネル型の採光装置の例を挙げたが、例えばブラインド型、ロールスクリーン型等の採光装置であってもよい。
【００８４】
その他、採光装置の各構成要素の形状、数、配置、材料等に関する具体的な記載は、上記実施形態に限ることなく、適宜変更が可能である。
例えば、窓に設置するタイプだけでなく、ベランダの手すり部分や柵に設置することも可能である。
【産業上の利用可能性】
【００８５】
本発明は、室内に外光を採り入れる採光装置に利用可能である。
【符号の説明】
【００８６】
１…採光装置、３，３Ａ，３Ｂ…採光部、１１…基材、１１ａ…第１面、１２，２２，３２，４２，５２…採光フィルム、１３，１３Ａ，１３Ｂ，１３Ｃ，５３，５３ａ，１０３，１０３Ａ，１０３Ｂ…分割フィルム、１３ａ…切り出しフィルム、１３Ａ…第１分割フィルム、１３Ｂ…第２分割フィルム、２１…光透過領域（隙間）、２６…光拡散部、３１…保護板
【図１】
2019204722.tif 000003
【図２】
2019204722.tif 000004
【図３】
2019204722.tif 000005
【図４】
2019204722.tif 000006
【図５】
2019204722.tif 000007
【図６】
2019204722.tif 000008
【図７】
2019204722.tif 000009
【図８】
2019204722.tif 000010
【図９】
2019204722.tif 000011
【図１０】
2019204722.tif 000012
【図１１Ａ】
2019204722.tif 000013
【図１１Ｂ】
2019204722.tif 000014
【図１１Ｃ】
2019204722.tif 000015
【図１２Ａ】
2019204722.tif 000016
【図１２Ｂ】
2019204722.tif 000017
【図１２Ｃ】
2019204722.tif 000018
【図１３】
2019204722.tif 000019
【図１４】
2019204722.tif 000020
【図１５】
2019204722.tif 000021
【図１６】
2019204722.tif 000022
【図１７】
2019204722.tif 000023
【図１８】
2019204722.tif 000024
【図１９】
2019204722.tif 000025
【図２０】
2019204722.tif 000026
【図２１】
2019204722.tif 000027
【図２２】
2019204722.tif 000028
【図２３】
2019204722.tif 000029
【図２４】
2019204722.tif 000030
【図２５】
2019204722.tif 000031
【図２６】
2019204722.tif 000032
【図２７】
2019204722.tif 000033